(57)【特許請求の範囲】
【請求項１】
圧縮機及びヒートポンプ熱交換器を備えてなる冷媒回路の一部と、
給湯タンク、給湯用熱交換器及び浴槽用熱交換器と、を備え、
上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置の運転方法において、
追い焚き運転開始時に、上記圧縮機を運転させてから所定時間経過後に、上記浴槽と上記浴槽用熱交換器との間で温水を循環可能とする浴槽用循環ポンプを稼働させることを特徴とするヒートポンプ式給湯装置の運転方法。
【請求項２】
圧縮機及びヒートポンプ熱交換器を備えてなる冷媒回路の一部と、
給湯タンク、給湯用熱交換器及び浴槽用熱交換器と、を備え、
上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置の運転方法において、
追い焚きスイッチの操作により実行させる追い焚き運転開始時に、使用者に追い焚き運転開始を認識させるために、上記浴槽用熱交換器をバイパスするバイパス配管に浴槽内の湯を導いて上記浴槽内へ還流させ、所定時間経過後に、上記浴槽内の湯を追い焚きするために、上記浴槽内の湯を上記浴槽用熱交換器に導いて加熱し上記浴槽内へ還流させることを特徴とするヒートポンプ式給湯装置の運転方法。
【請求項３】
圧縮機及びヒートポンプ熱交換器を備えてなる冷媒回路の一部と、
給湯タンク、給湯用熱交換器及び浴槽用熱交換器と、を備え、
上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置の運転方法において、
追い焚き運転開始時に、上記圧縮機を運転させてから、上記浴槽用熱交換器内の保有水の温度が所定温度以上となった後に、上記浴槽と上記浴槽用熱交換器との間で温水を循環可能とする浴槽用循環ポンプを稼働させることを特徴とするヒートポンプ式給湯装置の運転方法。
【請求項４】
圧縮機及びヒートポンプ熱交換器を備えてなる冷媒回路の一部と、
給湯タンク、給湯用熱交換器及び浴槽用熱交換器と、を備え、
上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置の運転方法において、
追い焚きスイッチの操作により実行させる追い焚き運転開始時に、使用者に追い焚き運転開始を認識させるために、上記浴槽用熱交換器をバイパスするバイパス配管に浴槽内の湯を導いて上記浴槽内へ還流させ、上記浴槽用熱交換器内の保有水の温度が所定温度以上となった後に、上記浴槽内の湯を追い焚きするために、上記浴槽内の湯を上記浴槽用熱交換器に導いて加熱し上記浴槽内へ還流させることを特徴とするヒートポンプ式給湯装置の運転方法。
【請求項５】
圧縮機及びヒートポンプ熱交換器を備えてなる冷媒回路の一部と、
給湯タンク、給湯用熱交換器及び浴槽用熱交換器と、を備え、
上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置において、
追い焚き運転開始時に、上記圧縮機を運転させてから所定時間経過後に、上記浴槽と上記浴槽用熱交換器との間で温水を循環可能とする浴槽用循環ポンプを稼働させるよう構成されたことを特徴とするヒートポンプ式給湯装置。
【請求項６】
圧縮機及びヒートポンプ熱交換器を備えてなる冷媒回路の一部と、
給湯タンク、給湯用熱交換器及び浴槽用熱交換器と、を備え、
上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置において、
追い焚きスイッチの操作により実行させる追い焚き運転開始時に、使用者に追い焚き運転開始を認識させるために、上記浴槽用熱交換器をバイパスするバイパス配管に浴槽内の湯を導いて上記浴槽内へ還流させ、所定時間経過後に、上記浴槽内の湯を追い焚きするために、上記浴槽内の湯を上記浴槽用熱交換器に導いて加熱し上記浴槽内へ還流させるよう構成されたことを特徴とするヒートポンプ式給湯装置。
【請求項７】
圧縮機及びヒートポンプ熱交換器を備えてなる冷媒回路の一部と、
給湯タンク、給湯用熱交換器及び浴槽用熱交換器と、を備え、
上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置において、
追い焚き運転開始時に、上記圧縮機を運転させてから、上記浴槽用熱交換器内の保有水の温度が所定温度以上となった後に、上記浴槽と上記浴槽用熱交換器との間で温水を循環可能とする浴槽用循環ポンプを稼働させるよう構成されたことを特徴とするヒートポンプ式給湯装置。
【請求項８】
圧縮機及びヒートポンプ熱交換器を備えてなる冷媒回路の一部と、
給湯タンク、給湯用熱交換器及び浴槽用熱交換器と、を備え、
上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置において、
追い焚きスイッチの操作により実行させる追い焚き運転開始時に、使用者に追い焚き運転開始を認識させるために、上記浴槽用熱交換器をバイパスするバイパス配管に浴槽内の湯を導いて上記浴槽内へ還流させ、上記浴槽用熱交換器内の保有水の温度が所定温度以上となった後に、上記浴槽内の湯を追い焚きするために、上記浴槽内の湯を上記浴槽用熱交換器に導いて加熱し上記浴槽内へ還流させるよう構成されたことを特徴とするヒートポンプ式給湯装置。
【発明の詳細な説明】
【０００１】
【発明の属する技術分野】
本発明は、冷媒の熱により水を加熱して湯を供給可能とし、冷媒の熱により浴槽内の湯を加熱（追い焚き）して保温可能とするヒートポンプ式給湯装置に関する。
【０００２】
【従来の技術】
従来の給湯装置には、冷媒の熱により給湯用熱交換器を介して水を加熱して給湯タンクへ湯を貯溜し、この湯を蛇口及び浴槽へ供給可能とすると共に、浴槽内の湯を冷媒の熱により浴槽用熱交換器を介して加熱（追い焚き）して適温に保温する機能を備えたヒートポンプ式給湯装置が提案されている。
【０００３】
【発明が解決しようとする課題】
上述のように、浴槽の湯（温水）の追い焚き運転は、浴槽用熱交換器を用いて実施される。しかしながら、この追い焚き運転開始時には、浴槽用熱交換器が充分に加熱器として機能していず、その保有水が暖まっていないため、この浴槽用熱交換器を流れた温水は加熱（追い焚き）されず、冷えた状態のままで浴槽内へ還流されてしまう。この加熱されないで浴槽内へ還流する温水の量は、浴槽用熱交換器の配管長が長いことから、その量も多くなってしまう。
【０００４】
本発明の目的は、上述の事情を考慮してなされたものであり、追い焚き運転開始時に、浴槽用熱交換器により加熱されない湯が浴槽内に還流することを防止できるヒートポンプ式給湯装置の運転方法及びヒートポンプ式給湯装置を提供することにある。
【０００５】
【課題を解決するための手段】
請求項１に記載の発明は、圧縮機及びヒートポンプ熱交換器を備えてなる冷媒回路の一部と、給湯タンク、給湯用熱交換器及び浴槽用熱交換器と、を備え、上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置の運転方法において、追い焚き運転開始時に、上記圧縮機を運転させてから所定時間経過後に、上記浴槽と上記浴槽用熱交換器との間で温水を循環可能とする浴槽用循環ポンプを稼働させることを特徴とするものである。
【０００６】
請求項２に記載の発明は、圧縮機及びヒートポンプ熱交換器を備えてなる冷媒回路の一部と、給湯タンク、給湯用熱交換器及び浴槽用熱交換器と、を備え、上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置の運転方法において、追い焚きスイッチの操作により実行させる追い焚き運転開始時に、使用者に追い焚き運転開始を認識させるために、上記浴槽用熱交換器をバイパスするバイパス配管に浴槽内の湯を導いて上記浴槽内へ還流させ、所定時間経過後に、上記浴槽内の湯を追い焚きするために、上記浴槽内の湯を上記浴槽用熱交換器に導いて加熱し上記浴槽内へ還流させることを特徴とするものである。
【０００７】
請求項３に記載の発明は、圧縮機及びヒートポンプ熱交換器を備えてなる冷媒回路の一部と、給湯タンク、給湯用熱交換器及び浴槽用熱交換器と、を備え、上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置の運転方法において、追い焚き運転開始時に、上記圧縮機を運転させてから、上記浴槽用熱交換器内の保有水の温度が所定温度以上となった後に、上記浴槽と上記浴槽用熱交換器との間で温水を循環可能とする浴槽用循環ポンプを稼働させることを特徴とするものである。
【０００８】
請求項４に記載の発明は、圧縮機及びヒートポンプ熱交換器を備えてなる冷媒回路の一部と、給湯タンク、給湯用熱交換器及び浴槽用熱交換器と、を備え、上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置の運転方法において、追い焚きスイッチの操作により実行させる追い焚き運転開始時に、使用者に追い焚き運転開始を認識させるために、上記浴槽用熱交換器をバイパスするバイパス配管に浴槽内の湯を導いて上記浴槽内へ還流させ、上記浴槽用熱交換器内の保有水の温度が所定温度以上となった後に、上記浴槽内の湯を追い焚きするために、上記浴槽内の湯を上記浴槽用熱交換器に導いて加熱し上記浴槽内へ還流させることを特徴とするものである。
【０００９】
請求項５に記載の発明は、圧縮機及びヒートポンプ熱交換器を備えてなる冷媒回路の一部と、給湯タンク、給湯用熱交換器及び浴槽用熱交換器と、を備え、上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置において、追い焚き運転開始時に、上記圧縮機を運転させてから所定時間経過後に、上記浴槽と上記浴槽用熱交換器との間で温水を循環可能とする浴槽用循環ポンプを稼働させるよう構成されたことを特徴とするものである。
【００１０】
請求項６に記載の発明は、圧縮機及びヒートポンプ熱交換器を備えてなる冷媒回路の一部と、給湯タンク、給湯用熱交換器及び浴槽用熱交換器と、を備え、上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置において、追い焚きスイッチの操作により実行させる追い焚き運転開始時に、使用者に追い焚き運転開始を認識させるために、上記浴槽用熱交換器をバイパスするバイパス配管に浴槽内の湯を導いて上記浴槽内へ還流させ、所定時間経過後に、上記浴槽内の湯を追い焚きするために、上記浴槽内の湯を上記浴槽用熱交換器に導いて加熱し上記浴槽内へ還流させるよう構成されたことを特徴とするものである。
【００１１】
請求項７に記載の発明は、圧縮機及びヒートポンプ熱交換器を備えてなる冷媒回路の一部と、給湯タンク、給湯用熱交換器及び浴槽用熱交換器と、を備え、上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置において、追い焚き運転開始時に、上記圧縮機を運転させてから、上記浴槽用熱交換器内の保有水の温度が所定温度以上となった後に、上記浴槽と上記浴槽用熱交換器との間で温水を循環可能とする浴槽用循環ポンプを稼働させるよう構成されたことを特徴とするものである。
【００１２】
請求項８に記載の発明は、圧縮機及びヒートポンプ熱交換器を備えてなる冷媒回路の一部と、給湯タンク、給湯用熱交換器及び浴槽用熱交換器と、を備え、上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置において、追い焚きスイッチの操作により実行させる追い焚き運転開始時に、使用者に追い焚き運転開始を認識させるために、上記浴槽用熱交換器をバイパスするバイパス配管に浴槽内の湯を導いて上記浴槽内へ還流させ、上記浴槽用熱交換器内の保有水の温度が所定温度以上となった後に、上記浴槽内の湯を追い焚きするために、上記浴槽内の湯を上記浴槽用熱交換器に導いて加熱し上記浴槽内へ還流させるよう構成されたことを特徴とするものである。
【００１３】
請求項１、３、５または７に記載の発明には、次の作用がある。
【００１４】
追い焚き運転開始時に、ヒートポンプユニットの圧縮機を運転させてから所定時間経過後に、または、浴槽用熱交換器内の保有水の温度が所定温度以上となった後に、浴槽と浴槽用熱交換器との間で温水を循環可能とする浴槽用循環ポンプを稼働させるよう構成されたことから、浴槽用熱交換器が加熱器として充分機能した段階で、浴槽用循環ポンプにより浴槽内の湯を浴槽用熱交換器へ導くので、追い焚き運転開始時に、浴槽用熱交換器により加熱されない湯が浴槽内に還流することを確実に防止でき、追い焚き運転を良好に実施できる。
【００１５】
請求項２、４、６または８に記載の発明には、次の作用がある。
【００１６】
追い焚き運転開始時には、浴槽内の湯（温水）が浴槽用熱交換器をバイパスするバイパス配管内に流れ、配管長の長い浴槽用熱交換器内に流れないことから、追い焚き運転開始時に、浴槽用熱交換器により加熱されない湯が大量に浴槽内に還流することを防止できるとともに、浴槽用熱交換器の温度を急激に上昇させることができる。これらの結果、追い焚き運転の立ち上がりの安定性を向上させることができる。
【００１７】
また、使用者が追い焚きスイッチを操作すると、直ちに浴槽内の湯（温水）がバイパス配管内を流れて浴槽内へ還流するので、追い焚きスイッチが操作されてから浴槽用熱交換器の温度上昇を待って追い焚き運転を実行する場合に発生する、追い焚きスイッチの操作から追い焚き運転実行までの空白時間が無く、追い焚きスイッチが必要以上操作されたり、故障と判断される事態を未然に防止できる。
【００１８】
【発明の実施の形態】
以下、本発明の実施の形態を、図面に基づき説明する。
【００１９】
〔Ａ〕第１の実施の形態（図１〜図４）
図１は、本発明に係るヒートポンプ式給湯装置における第１の実施の形態を示し、給湯タンク内の水を加熱し湯を貯溜するときの回路図である。
【００２０】
この図１に示すように、ヒートポンプ式給湯装置１０は、ヒートポンプユニット１１、給湯ユニット１２、蛇口１３、浴槽１４及び制御装置１５を有して構成され、この制御装置１５が、ヒートポンプユニット１１及び給湯ユニット１２を制御する。
【００２１】
ヒートポンプユニット１１は、圧縮機１６、アキュムレータ１７及びヒートポンプ熱交換器１８が冷媒配管１９に順次配設されて、冷媒回路の一部を構成する。冷媒配管１９における圧縮機１６の吐出側端部は、ユニット間配管２０のガス管２１に接続される。また、冷媒配管１９におけるヒートポンプ熱交換器１８側端部は、ユニット間配管２０の液管２２に接続される。
【００２２】
冷媒配管１９は、圧縮機１６の吐出側とヒートポンプ熱交換器１８側とが、電磁弁２３を備えたバイパス配管２４にて接続されて、吐出冷媒の過剰な高圧が逃がされる。また、ヒートポンプ熱交換器１８の近傍には送風ファン２５が設置されて、ヒートポンプ熱交換器１８へ送風がなされる。
【００２３】
前記給湯ユニット１２は、給湯タンク２６、給湯用熱交換器２７及び浴槽用熱交換器２８を備える。
【００２４】
給湯用熱交換器２７は、第１切換弁３１を備えた冷媒配管２９に配設される。この冷媒配管２９における第１切換弁３１側端部が、ガス側ジョイント３０を介してユニット間配管２０のガス管２１に接続される。また、冷媒配管２９における他端部が、液側ジョイント３３を介してユニット間配管２０の液管２２に接続される。これにより、給湯用熱交換器２７は、ヒートポンプユニット１１の冷媒回路の一部と連結されて、図１の太線Ｌに示すように、冷媒が循環する冷媒回路が構成される。
【００２５】
この給湯用熱交換器２７と上記給湯タンク２６とは、給湯用循環ポンプ３４及び流量調整弁３５を備えた給湯用配管３６によりループ状に連結されて、図１の太線Ｍに示す給湯用循環回路５２が構成される。
【００２６】
給湯タンク２６の底部には減圧逆止弁３７を配設した第１水道水配管３８が接続されて、給湯タンク２６内へ常に水道水が供給可能とされる。つまり、給湯タンク２６内に常時水道水圧が作用する。また、給湯タンク２６の天部には、出湯用電磁弁３９を備えた出湯配管４０が接続されている。
【００２７】
給湯用循環ポンプ３４の稼働により給湯タンク２６の底部の水が給湯用熱交換器２７に送給されると、この給湯用熱交換器２７は、送給された水を、ヒートポンプユニット１１の圧縮機１６から吐出された冷媒ガスの熱によって加熱する。この加熱された水（湯）は、流量調整弁３５を経て給湯タンク２６の天部へ導かれ、給湯タンク２６内に例えば約６０℃の湯が貯溜可能とされる。
【００２８】
給湯タンク２６内には電気ヒータ４１が配設される。この電気ヒータ４１は、給湯タンク２６内の湯温を、例えば約８０℃に昇温させるものである。また、給湯用配管３６には、給湯用循環ポンプ３４の上流側にドレンコック４２が配設されて、給湯用配管３６及び給湯タンク２６内の湯又は水をドレンパン４３を介して排水可能とする。更に、給湯用配管３６には、給湯タンク２６の上流側にリリーフ手段４４が配設されて、給湯用熱交換器２７による水の過剰加熱時における圧力が解放可能に設けられる。
【００２９】
前記浴槽用熱交換器２８は、図４に示すように、第２切換弁３２を備えた冷媒配管４５に配設される。この冷媒配管４５における第２切換弁３２側端部が、冷媒配管２９におけるガス側ジョイント３０近傍のＡ点に接続される。また、冷媒配管４５における他端部が、冷媒配管２９における液側ジョイント３３近傍のＢ点に接続される。そして、第２切換弁３２と前記第１切換弁３１とは、一方が開操作されたときに、他方が閉操作されるよう構成される。
【００３０】
従って、第２切換弁３２の開操作時に、浴槽用熱交換器２８は、ヒートポンプユニット１１の冷媒回路の一部と連結されて、図４の太線Ｎに示すように、冷媒が循環する冷媒回路が構成される。
【００３１】
この浴槽用熱交換器２８と前記浴槽１４とが、浴槽用循環ポンプ４６、フィルタ４７、水位センサ４８、サーミスタ４９及びフロースイッチ５０を備えた第１浴槽用配管５１によりループ状に連結されて、図４の太線Ｏに示す浴槽用循環回路５３が構成される。第１浴槽用配管５１には、浴槽用循環ポンプ４６の下流側に、浴槽用熱交換器２８をバイパスし、且つバイパス電磁弁５４を備えたバイパス配管５５が接続されている。
【００３２】
浴槽用熱交換器２８は、後述の如く浴槽１４に給湯がなされて浴槽１４内に湯が張られた場合、浴槽用循環ポンプ４６の稼働により浴槽１４内の湯（または温水）を、ヒートポンプユニット１１の圧縮機１６から吐出された冷媒ガスの熱によって加熱し、追い焚きを実施して、浴槽１４内の湯を保温する。
【００３３】
ここで、水位センサ４８は、第１浴槽用配管５１を介して浴槽１４に連通していることから、この浴槽１４内の湯（水）の水位を検出する。また、サーミスタ４９は、浴槽用循環回路５３内を湯が循環しているとき、その湯温を検知して、浴槽１４内の湯温を間接的に検出する。また、フロースイッチ５０は、浴槽用循環回路５３内を湯が循環していることを検出する。更に、フィルタ４７は、浴槽１４内に配設されたフィルタ５６と共に、湯を濾過する。
【００３４】
前記蛇口１３は、図２に示すように、混合制御弁５７及びフローセンサ５８を備えた給湯配管５９と出湯配管４０とによって、図２の太線Ｐに示すように給湯タンク２６に接続される。更に、この蛇口１３は、減圧逆止弁６１を備えた第２水道水配管６０にも接続される。上記フローセンサ５８は、給湯配管５９内を流れる湯量を検出する。
【００３５】
給湯タンク２６には、第１水道水配管３８を介して水道水圧が常時作用しているとこから、蛇口１３の給湯栓を開くことにより、出湯配管４０及び給湯配管５９を経て、給湯タンク２６内の湯が蛇口１３に給湯される。この蛇口１３からの湯は、蛇口１３の水道水栓を開くことにより、第２水道水配管６０からの水道水と混合されて、蛇口１３から供給可能とされる。
【００３６】
また、混合制御弁５７は、水道水電磁弁６２を備えた第３水道水配管６３を介して、図２の太破線Ｑに示すように、第１水道水配管３８の減圧逆止弁３７下流側に接続される。従って、出湯用電磁弁３９及び水道水電磁弁６２の開弁操作時には、混合制御弁５７の開度制御により、給湯タンク２６及び出湯配管４０からの湯と第３水道水配管６３からの水道水とが混合されて、蛇口１３の給湯栓から給湯される湯温が、例えば４２℃に調整される。
【００３７】
図３に示すように、給湯配管５９におけるフローセンサ５８の下流側と、第１浴槽用配管５１における浴槽用循環ポンプ４６、フロースイッチ５０間とが第２浴槽用配管６８により接続される。この第２浴槽用配管６８には、給湯配管５９の側からフローセンサ６４、注湯用電磁弁６５、リリーフ手段６６、逆止弁６７が順次配設されている。
【００３８】
ここで、フローセンサ６４は、第２浴槽用配管６８内を流れる湯量を検出する。また、リリーフ手段６６及び逆止弁６７は、過剰に加熱された湯が第２浴槽用配管６８内を流れた時に、その圧力を逃がすものである。
【００３９】
浴槽用循環ポンプ４６を停止させた状態で、注湯用電磁弁６５及びバイパス電磁弁５４を開操作すると、図３の太線Ｒに示すように、給湯タンク２６内の湯が出湯配管４０、給湯配管５９の一部及び第２浴槽用配管６８を流れて第１浴槽用配管５１内に至り、この第１浴槽用配管５１内で二股に分岐されて、一方がフロースイッチ５０、サーミスタ４９、水位センサ４８及びフィルタ４７を経て浴槽１４へ、また、他方がバイパス配管５５を経て浴槽１４へそれぞれ注湯される。第１浴槽用配管５１内で二方向から浴槽１４内へ注湯することにより、浴槽１４に湯を短時間で張ることが可能となる。
【００４０】
浴槽１４内に給湯タンク２６から適量の湯が注湯されたことが水位センサ４８により検出された段階で、注湯用電磁弁６５及びバイパス電磁弁５４が閉操作される。その後、浴槽１４内の湯温が適温以下に低下したことがサーミスタ４９により検知されたときに、浴槽用循環ポンプ４６が稼働し、第２切換弁３２が開操作され、ヒートポンプユニット１１の圧縮機１６が起動して、浴槽用循環ポンプ４６の稼働により浴槽用循環回路５３内を循環する湯が、浴槽用熱交換器２８の冷媒熱により加熱（追い焚き）されて、浴槽１４内の湯が保温される。
【００４１】
このように、給湯タンク２６から浴槽１４へ適温の湯を適量給湯し、その後所定時間、浴槽１４内の湯を浴槽用熱交換器２８により適温に加熱（追い焚き）して保温する運転を、浴槽自動運転と称する。
【００４２】
前記制御装置１５は、ヒートポンプユニット１１における圧縮機１６の運転（容量制御を含む）及び停止、電磁弁２３の開閉、給湯ユニット１２における第１切換弁３１と第２切換弁３２の切換、給湯用循環ポンプ３４及び浴槽用循環ポンプ４６の稼働又は停止、出湯用電磁弁３９、バイパス電磁弁５４、水道水電磁弁６２及び注湯用電磁弁６５の開閉、流量調整弁３５及び混合制御弁５７の開度、電気ヒータ４１への通電等をそれぞれ制御して、ヒートポンプユニット１１及び給湯ユニット１２を制御する。
【００４３】
特に、制御装置１５は、図１及び図４に示すように、浴槽１４近傍に設置された追い焚きスイッチ７０が操作された時、この追い焚きスイッチ７０からの信号を入力して、ヒートポンプユニット１１の圧縮機１６を起動させ、給湯ユニット１２の第２切換弁３２を開操作させ、浴槽用循環ポンプ４６を稼働させて、浴槽１４内の湯（温水）を浴槽用熱交換器２８へ導き、冷媒の熱により加熱（追い焚き）して、浴槽１４内の湯を適温に保温する追い焚き運転を実行する。
【００４４】
但し、追い焚き運転開始時には、浴槽用熱交換器２８が加熱器として未だ充分に機能していず、つまり浴槽用熱交換器２８内の保有水が充分に暖まっていない。
【００４５】
このため、制御装置１５は、追い焚きスイッチ７０の操作により実行させる追い焚き運転の開始時には、ヒートポンプユニット１１の圧縮機１６の起動と、給湯ユニット１２の第２切換弁３２の開操作と、内蔵のタイマ７１のカウント動作とを同時に実行させ、タイマ７１のカウント値により、圧縮機１６の起動から所定時間経過後に浴槽用循環ポンプ４６を稼働させるよう制御する。上記所定時間は、浴槽用循環ポンプ４６の稼働時には浴槽用熱交換器２８が既に充分に加熱器として機能し、浴槽用熱交換器２８内の保有水が充分に加熱されている時間として設定される。
【００４６】
これにより、浴槽用循環ポンプ４６によって浴槽用熱交換器２８に導かれる浴槽１４内の湯（温水）は、この浴槽用熱交換器２８により直ちに充分に加熱（追い焚き）されることになる。
【００４７】
従って、上記実施の形態によれば、次の効果▲１▼を奏する。
【００４８】
▲１▼制御装置１５が、追い焚き運転開始時に、ヒートポンプユニット１１の圧縮機１６を運転させてから所定時間経過後に、浴槽１４と浴槽用熱交換器２８との間で温水を循環可能とする浴槽用循環ポンプ４６を稼働させるよう構成されたことから、浴槽用熱交換器２８が加熱器として充分機能した段階で、浴槽用循環ポンプ４６により浴槽１４内の湯を浴槽用熱交換器２８へ導くので、追い焚き運転開始時に、浴槽用熱交換器２８により加熱されない湯が浴槽１４内に還流することを確実に防止でき、追い焚き運転を良好に実施できる。
【００４９】
〔Ｂ〕第２の実施の形態（図５）
図５は、本発明に係るヒートポンプ式給湯装置の第２の実施の形態を示す系統図である。この第２の実施の形態において、前記第１の実施の形態と同様な部分は、同一の符号を付すことにより説明を省略する。
【００５０】
この第２の実施の形態のヒートポンプ式給湯装置８０では、追い焚き運転開始時における制御装置１５の制御が、前記第１の実施の形態と異なる。
【００５１】
つまり、制御装置１５は、追い焚きスイッチ７０の操作により実行させる追い焚き運転の開始時には、ヒートポンプユニット１１の圧縮機１６を起動させ、給湯ユニット１２の第２切換弁３２を開操作させ、浴槽用循環ポンプ４６を稼働させると同時に、浴槽用熱交換器２８をバイパスするバイパス配管５５のバイパス電磁弁５４を開弁させて、浴槽１４内の湯（温水）をバイパス配管５５を経て浴槽１４へ還流させる。そして、制御装置１５は、追い焚きスイッチ７０の操作から所定時間経過後に、バイパス電磁弁５４を閉弁して、浴槽１４内の湯（温水）を浴槽用熱交換器２８へ導き加熱（追い焚き）して浴槽１４内へ還流させる。
【００５２】
上記所定時間は、バイパス電磁弁５４の閉弁時には浴槽用熱交換器２８が既に充分に加熱器として機能し、浴槽用熱交換器２８内の保有水が充分に加熱されている時間として設定される。
【００５３】
バイパス配管５５の配管長が浴槽用熱交換器２８の配管長よりも格段に短いことから、浴槽用循環ポンプ４６の稼働によって浴槽１４内へ還流される、浴槽用熱交換器２８により加熱されない湯（温水）の量を低減できると共に、浴槽１４内の湯（温水）がバイパス配管５５を流れて浴槽用熱交換器２８に流入しない間に、浴槽用熱交換器２８が冷媒の熱により急速に暖まり、浴槽用熱交換器２８が短時間に加熱器として機能することになる。
【００５４】
従って、上記実施の形態によれば、次の効果▲２▼及び▲３▼を奏する。
【００５５】
▲２▼制御装置１５が、追い焚き運転開始時には、浴槽１４内の湯（温水）が浴槽用熱交換器２８をバイパスするバイパス配管５５内に流れ、配管長の長い浴槽用熱交換器２８内に流れないことから、追い焚き運転開始時に、浴槽用熱交換器２８により加熱されない湯（温水）が大量に浴槽１４に還流することを防止できると共に、浴槽用熱交換器２８の温度を急激に上昇させることができる。これらの結果、追い焚き運転の立ち上がりの安定性を向上させることができる。
【００５６】
▲３▼使用者が追い焚きスイッチ７０を操作すると、制御装置１５の制御により浴槽１４内の湯（温水）が直ちにバイパス配管５５内を流れて浴槽１４内へ還流するので、追い焚きスイッチ７０が操作されてから浴槽用熱交換器２８の温度上昇を待って追い焚き運転を実行する場合に発生する、追い焚きスイッチ７０の操作から追い焚き運転実行までの空白時間が無く、追い焚きスイッチ７０が必要以上操作されたり、ヒートポンプ式給湯装置８０が故障であると判断される事態を未然に防止できる。
【００５７】
以上、本発明を上記実施の形態に基づいて説明したが、本発明はこれに限定されるものではない。
【００５８】
例えば、追い焚き運転開始時に、ヒートポンプユニットの圧縮機を運転させてから、浴槽用熱交換器内の保有水の温度が所定温度以上となったことが温度検出器によって確認された後に、浴槽用循環ポンプを稼働させてもよい。
【００５９】
また、追い焚き運転開始時に、浴槽用熱交換器をバイパスするバイパス配管に浴槽内の湯を導いて浴槽内へ還流させ、上記浴槽用熱交換器内の保有水の温度が所定温度以上となったことが温度検出器によって確認された後に、浴槽内の湯を浴槽用熱交換器に導いて加熱し浴槽内へ還流させるよう構成してもよい。
【００６０】
【発明の効果】
以上のように、請求項１に記載の発明によれば、圧縮機及びヒートポンプ熱交換器を備えてなる冷媒回路の一部と、給湯タンク、給湯用熱交換器及び浴槽用熱交換器と、を備え、上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置の運転方法において、追い焚き運転開始時に、上記圧縮機を運転させてから所定時間経過後に、上記浴槽と上記浴槽用熱交換器との間で温水を循環可能とする浴槽用循環ポンプを稼働させることから、追い焚き運転開始時に、浴槽用熱交換器により加熱されない湯が浴槽内に還流することを確実に防止できる。
【００６１】
請求項２に記載の発明によれば、圧縮機及びヒートポンプ熱交換器を備えてなる冷媒回路の一部と、給湯タンク、給湯用熱交換器及び浴槽用熱交換器と、を備え、上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置の運転方法において、追い焚きスイッチの操作により実行させる追い焚き運転開始時に、使用者に追い焚き運転開始を認識させるために、上記浴槽用熱交換器をバイパスするバイパス配管に浴槽内の湯を導いて上記浴槽内へ還流させ、所定時間経過後に、上記浴槽内の湯を追い焚きするために、上記浴槽内の湯を上記浴槽用熱交換器に導いて加熱し上記浴槽内へ還流させることから、追い焚き運転開始時に、浴槽用熱交換器により加熱されない湯が浴槽内に大量に還流することを防止できる。
【００６２】
請求項３に記載の発明によれば、圧縮機及びヒートポンプ熱交換器を備えてなる冷媒回路の一部と、給湯タンク、給湯用熱交換器及び浴槽用熱交換器と、を備え、上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置の運転方法において、追い焚き運転開始時に、上記圧縮機を運転させてから、上記浴槽用熱交換器内の保有水の温度が所定温度以上となった後に、上記浴槽と上記浴槽用熱交換器との間で温水を循環可能とする浴槽用循環ポンプを稼働させることから、追い焚き運転開始時に、浴槽熱交換器により加熱されない湯が浴槽内に還流することを確実に防止できる。
【００６３】
請求項４に記載の発明によれば、圧縮機及びヒートポンプ熱交換器を備えてなる冷媒回路の一部と、給湯タンク、給湯用熱交換器及び浴槽用熱交換器と、を備え、上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置の運転方法において、追い焚きスイッチの操作により実行させる追い焚き運転開始時に、使用者に追い焚き運転開始を認識させるために、上記浴槽用熱交換器をバイパスするバイパス配管に浴槽内の湯を導いて上記浴槽内へ還流させ、上記浴槽用熱交換器内の保有水の温度が所定温度以上となった後に、上記浴槽内の湯を追い焚きするために、上記浴槽内の湯を上記浴槽用熱交換器に導いて加熱し上記浴槽内へ還流させることから、追い焚き運転開始時に、浴槽用熱交換器により加熱されない湯が浴槽内に大量に還流することを防止できる。
【００６４】
請求項５に記載の発明によれば、圧縮機及びヒートポンプ熱交換器を備えてなる冷媒回路の一部と、給湯タンク、給湯用熱交換器及び浴槽用熱交換器と、を備え、上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置において、追い焚き運転開始時に、上記圧縮機を運転させてから所定時間経過後に、上記浴槽と上記浴槽用熱交換器との間で温水を循環可能とする浴槽用循環ポンプを稼働させるよう構成されたことから、追い焚き運転開始時に、浴槽用熱交換器により加熱されない湯が浴槽内に還流することを確実に防止できる。
【００６５】
請求項６に記載の発明によれば、圧縮機及びヒートポンプ熱交換器を備えてなる冷媒回路の一部と、給湯タンク、給湯用熱交換器及び浴槽用熱交換器と、を備え、上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置において、追い焚きスイッチの操作により実行させる追い焚き運転開始時に、使用者に追い焚き運転開始を認識させるために、上記浴槽用熱交換器をバイパスするバイパス配管に浴槽内の湯を導いて上記浴槽内へ還流させ、所定時間経過後に、上記浴槽内の湯を追い焚きするために、上記浴槽内の湯を上記浴槽用熱交換器に導いて加熱し上記浴槽内へ還流させるよう構成されたことから、追い焚き運転開始時に、浴槽用熱交換器により加熱されない湯が浴槽内に大量に還流することを防止できる。
【００６６】
請求項７に記載の発明によれば、圧縮機及びヒートポンプ熱交換器を備えてなる冷媒回路の一部と、給湯タンク、給湯用熱交換器及び浴槽用熱交換器と、を備え、上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置において、追い焚き運転開始時に、上記圧縮機を運転させてから、上記浴槽用熱交換器内の保有水の温度が所定温度以上となった後に、上記浴槽と上記浴槽用熱交換器との間で温水を循環可能とする浴槽用循環ポンプを稼働させるよう構成されたことから、追い焚き運転開始時に、浴槽用熱交換器により加熱されない湯が浴槽内に還流することを確実に防止できる。
【００６７】
請求項８に記載の発明によれば、圧縮機及びヒートポンプ熱交換器を備えてなる冷媒回路の一部と、給湯タンク、給湯用熱交換器及び浴槽用熱交換器と、を備え、上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置において、追い焚きスイッチの操作により実行させる追い焚き運転開始時に、使用者に追い焚き運転開始を認識させるために、上記浴槽用熱交換器をバイパスするバイパス配管に浴槽内の湯を導いて上記浴槽内へ還流させ、上記浴槽用熱交換器内の保有水の温度が所定温度以上となった後に、上記浴槽内の湯を追い焚きするために、上記浴槽内の湯を上記浴槽用熱交換器に導いて加熱し上記浴槽内へ還流させるよう構成されたことから、追い焚き運転開始時に、浴槽用熱交換器により加熱されない湯が浴槽内に還流することを確実に防止できる。
【図面の簡単な説明】
【図１】本発明に係るヒートポンプ式給湯装置における第１の実施の形態を示し、給湯タンク内の水を加熱し、湯を貯溜するときの回路図である。
【図２】図１のヒートポンプ式給湯装置において、蛇口から給湯するときの回路図である。
【図３】図１のヒートポンプ式給湯装置において、浴槽へ給湯するときの回路図である。
【図４】図１のヒートポンプ式給湯装置において、浴槽内の湯を加熱（追い焚き）して保温するときの回路図である。
【図５】本発明に係るヒートポンプ式給湯装置の第２の実施の形態を示す系統図である。
【符号の説明】
１０  ヒートポンプ式給湯装置
１１  ヒートポンプユニット
１２  給湯ユニット
１３  蛇口
１４  浴槽
１５  制御装置
１６  圧縮機
１８  ヒートポンプ熱交換器
２６  給湯タンク
２７  給湯用熱交換器
２８  浴槽用熱交換器
４６  浴槽用循環ポンプ
５５  バイパス配管
７０  追い焚きスイッチ
７１  タイマ
８０  ヒートポンプ式給湯装置
【図１】
0004508375.tif 000002
【図２】
0004508375.tif 000003
【図３】
0004508375.tif 000004
【図４】
0004508375.tif 000005
【図５】
0004508375.tif 000006